(57)【要約】【課題】設置に必要なスペースが小さく、意匠性を向上させたブラインドを提供する。【解決手段】回転ドラム１０８から吊り下げられるラダーコード１１４により複数のスラット１１８が整列状態に支持されており、スクリーン１１０が巻取パイプ１０６から巻取り及び巻解き可能に垂下しており、スクリーン１１０が巻取パイプ１０６に巻取り及び巻解きされることにより複数のスラット１１８が昇降するブラインドであって、スラット１１８には長手方向に一又は二以上の挿通孔１１８ａが形成されており、複数のスラット１１８の挿通孔１１８ａをスクリーン１１０が順次挿通する。【選択図】図１
2015124591.tif 000002
【特許請求の範囲】
【請求項１】
長手方向に一又は二以上の挿通孔（１１８ａ）が形成された傾斜角度が可変な複数のスラット（１１８）と、
前記複数のスラットの前記挿通孔を順次挿通する生地（１１０）と、
を備えるブラインド。
【請求項２】
前記生地は支持部材（１０６、１０８）から巻取り及び巻解き可能に垂下しており、
前記生地が前記支持部材に巻取り及び巻解きされることにより前記複数のスラットが昇降することを特徴とする請求項１記載のブラインド。
【請求項３】
前記複数のスラットを整列状態に支持するラダーテープ（２００、２１０、２２０）が前記支持部材から吊り下げられており、
前記ラダーテープ（２００）と前記生地とはスラットの長手方向に交互に配置されており、
前記複数のスラットの前後に垂下する前記ラダーテープの垂直テープ（２２０）は、隣合う前記生地の間隔よりも幅広であることを特徴とする請求項２記載のブラインド。
【請求項４】
前記生地は、透過性であることを特徴とする請求項１〜請求項３のいずれか１項に記載のブラインド。
【発明の詳細な説明】
【技術分野】
【０００１】
本発明は、スラットと生地の機能を併有させたブラインドに関する。
【背景技術】
【０００２】
室内に入る日射を遮蔽するものとして、ブラインドやカーテンなどが挙げられる。このうち、ブラインドは、スラットを閉じたときの遮蔽性が良く、日射のみならず、外部からの視線も遮断することができる。また、スラットの傾斜角度を調整することで、採光状態を細かく調整することもできる。しかし、採光状態の調整は、スラットの傾斜角度を調整して室内に入る光の量を調整しているだけなので、柔らかい光を取り入れるなどの雰囲気を望むことはできない。また、スラットの傾斜角度によっては、室内が外部から見えてしまうこともある。一方、カーテンは、室内に柔らかい光を取り入れることはできるが、採光状態の細かい調整はできない。また、１枚のカーテンに、外部からの視線を遮断したり、室内に柔らかい光を取り入れたりする効果を併有させることができない。
【０００３】
このようなブラインドとカーテンの利点を併せ持つものとして、ブラインドの正面側（室内側）にカーテンを取付けたものが知られている（特許文献１参照）。すなわち、ブラインドの上函にカーテンフックを嵌着し、上函から垂下するラダーコードの垂直コードにカーテンの案内リングを上下方向に所定間隔で外嵌し、カーテンフックにカーテンを吊下げるとともに案内リングとカーテンとを取付けることにより、ブラインドにカーテンを取り付けることができる。これにより、ラダーコードの垂直コードがカーテンの吊紐として兼用され、スラットを上昇させると、ラダーコードとともにカーテンがたくし上げられ、スラットを下降させると、ラダーコードとともにカーテンが下降していく。
【先行技術文献】
【特許文献】
【０００４】
【特許文献１】実公平３−６７９１号公報
【発明の概要】
【発明が解決しようとする課題】
【０００５】
ところで、ブラインドの正面側にカーテンを取付けただけでは、これらを設置するために必要なスペースは、ブラインドとカーテンを前後に二重に取付けた場合と大差がない。このため、前後方向にスペースが必要になる。
【０００６】
また、ブラインドを上昇させたときにはカーテンがたくし上げられるため、たくし上げられたカーテンが室内側に垂れ下がる。このため、ブラインドが本来持つスッキリとした意匠を保つことができないという問題があった。
【０００７】
そこで、本発明は、このような問題に鑑みてなされたもので、その目的とするところは、設置に必要なスペースが小さく、意匠性を向上させたブラインドを提供することにある。
【課題を解決するための手段】
【０００８】
上記課題を解決するために、本発明によれば、長手方向に一又は二以上の挿通孔が形成された傾斜角度が可変な複数のスラットと、前記複数のスラットの前記挿通孔を順次挿通する生地と、を備えるブラインドが提供される。
【０００９】
かかる発明によれば、スラットに生地を挿通させているので、設置に必要なスペースはスラットの前後幅程度の大きさがあればよく、大きな設置スペースを必要としない。
【００１０】
また、生地は複数のスラットを順次挿通しているため、例えば、スラットを水平状態にしたときに、上下のスラット間の隙間が生地でほぼ覆われることになる。このため、上下のスラット間から室内に入る光は生地によって柔らかな光となり、外部から室内に向けられる視線は生地によって遮られることになる。よって、柔らかい光を取り入れながら外部からの視線を遮断することができる。
【００１１】
このように、機能としては、ブラインドとカーテンとを併用したものと同じであるが、スラットを上昇させたときに生地がたくし上げられることがなく、スラットを下降させたときも生地がスラットを挿通しているだけなので、いずれの場合も一般的なブラインドと同様にスッキリとした意匠を保つことができる。
【００１２】
生地は支持部材から巻取り及び巻解き可能に垂下しており、生地が支持部材に巻取り及び巻解きされることにより複数のスラットが昇降するようにしてもよい。これにより、生地に昇降コードの機能を持たせることができるので、昇降コードが不要になる。
【００１３】
複数のスラットを整列状態に支持するラダーテープが支持部材から吊り下げられており、ラダーテープと生地とはスラットの長手方向に交互に配置されており、複数のスラットの前後に垂下するラダーテープの垂直テープは、隣合う生地の間隔よりも幅広であるようにしてもよい。これにより、隣合う生地のわずかな隙間も垂直テープで塞ぐことができる。これにより、外部からの視線を完全に遮断することができる。
【００１４】
また、生地は透過性であるようにしてもよい。これにより、隣合うスラットの間から柔らかい光を取り入れながら外部からの視線を遮断することができる。
【発明の効果】
【００１５】
本発明によれば、スラットに生地を挿通させているので、設置に必要なスペースはスラットの前後幅程度の大きさがあればよく、大きな設置スペースを必要としない。
【００１６】
また、生地はスラットを挿通しているだけなので、スラットを上昇させたときに生地がたくし上げられることがなく、スラットを下降させたときも生地がスラットを挿通しているだけなので、いずれの場合も通常のブラインドと同様にスッキリとした意匠を保つことができる。
本発明のその他の効果については、以下の発明を実施するための形態の項でも説明する。
【図面の簡単な説明】
【００１７】
【図１】本発明の第１の実施形態に係るブラインドの斜視図である。
【図２】スラット部分の拡大斜視図である。
【図３】第１の実施形態に係るブラインドのスラットが水平状態の正面図である。
【図４】（ａ）は図３のＡ−Ａ線の部分断面図、（ｂ）は図３のＢ−Ｂ線の部分断面図である。
【図５】第１の実施形態に係るブラインドのスラットが全閉状態の正面図である。
【図６】（ａ）は図５のＡ−Ａ線の部分断面図、（ｂ）は図５のＢ−Ｂ線の部分断面図である。
【図７】第１の実施形態に係るブラインドのスラットを畳み込んだ状態の正面図である。
【図８】第２の実施形態に係るブラインドの斜視図である。
【図９】第２の実施形態に係るブラインドの正面図であり、ラダーテープの一部を仮想線とした図である。
【図１０】図９の１０−１０線の部分断面図である。
【図１１】第３の実施形態に係るブラインドの正面図である。
【図１２】図１１の１２−１２線の部分断面図である。
【図１３】第４の実施形態に係るブラインドの部分側断面図であり、（ａ）はラダーコード付近を示し、（ｂ）はスクリーン付近を示し、（ｃ）はスクリーンを巻き取った状態を示す。
【発明を実施するための形態】
【００１８】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１９】
（第１の実施形態）
第１の実施形態に係るブラインドについて、図１〜図７を参照しながら説明する。
まず、図１〜図４を参照しながら、本実施形態に係るブラインド１００の構成をスラットが水平状態のときを例にとって説明する。
【００２０】
本実施形態に係るブラインド１００は、図１に示したように、長手方向に一又は二以上の挿通孔１１８ａが形成された傾斜角度が可変な複数のスラット１１８と、複数のスラット１１８の挿通孔１１８ａを順次挿通する生地１１０と、を備えて構成される。
【００２１】
より詳細には、本実施形態に係るブラインド１００は、図示していない窓枠等に固定されるセットフレーム１０２と、セットフレーム１０２の両端部に設けられる一対のサイドプレート１０４と、一対のサイドプレート１０４に回転可能に支持される巻取パイプ１０６と、巻取パイプ１０６の長手方向３個所に設けられる回転ドラム１０８と、巻取パイプ１０６に一端が巻取り及び巻解き可能に連結される短冊状のスクリーン（生地）１１０と、スクリーン１１０を垂下させる位置に誘導する一対のスクリーン誘導部１１２と、各回転ドラム１０８に上端が連結されるラダーコード１１４と、ラダーコード１１４の配回しを誘導するラダーコード誘導部１１６と、ラダーコード１１４に整列状態に支持される複数のスラット１１８と、最下段のスラット１１８の下方に配置されるボトムレール１２０と、スラットの昇降及び回転を操作する操作チェーン１２２と、操作チェーン１２２の操作を巻取パイプ１０６に伝達するプーリ１２４と、を備える。以下、ブラインド１００の各構成について詳細に説明する。
【００２２】
（巻取パイプ１０６）
巻取パイプ１０６は、スクリーン１１０を支持する支持部材であり、図１に示したように、これに設けられた３つの回転ドラム１０８によって長手方向に４分割された状態になっている。これにより、巻取パイプ１０６と回転ドラム１０８の配置が交互になるため、巻取パイプ１０６に連結されるスクリーン１１０と回転ドラム１０８に連結されるラダーコード１１４とが交互に配置されることになる。
【００２３】
（回転ドラム１０８）
３つの回転ドラム１０８は、ラダーコード１１４を支持する支持部材であり、一体回転するように巻取パイプ１０６の外周にそれぞれ設けられている。回転ドラム１０８は、図３に示したように、円盤状の形状を有しており、軸方向両端の外周にそれぞれ形成されるフランジ１０８ａと両フランジ１０８ａの間に形成される溝１０８ｂとを備えている。溝１０８ｂにはラダーコード１１４の上端がループを形成した状態で巻き掛けられており、フランジ１０８ａはラダーコード１１４の軸方向への移動を拘束している。
【００２４】
（スクリーン１１０）
スクリーン１１０は、レース、シースルー、メッシュなど透過性生地によって構成されており、図１に示したように、４つ設けられている。これら４つのスクリーン１１０は、３つの回転ドラム１０８により４分割された巻取パイプ１０６のそれぞれに一端が巻取り及び巻解き可能に連結されており、他端が巻取パイプ１０６から垂下している。各スクリーン１１０の幅は、各スクリーン１１０が連結している巻取パイプ１０６の幅にそれぞれ対応している。
【００２５】
（スクリーン誘導部１１２）
スクリーン誘導部１１２は、図４（ａ）に示したように、巻取パイプ１０６の下方に配設された一対の円筒状部材１１２ａ、１１２ｂよりなる。一対の円筒状部材１１２ａ、１１２ｂの両端部は、図３に示したように、サイドプレート１０４に回転自在に支持されており、一対の円筒状部材１１２ａ、１１２ｂの間にはスクリーン１１０の厚み程度の隙間１１２ｃが設けられている。この隙間１１２ｃは巻取パイプ１０６の鉛直下方及び後述するスラット１１８の挿通孔１１８ａの真上に位置し、巻取パイプ１０６から導出されたスクリーン１１０が隙間１１２ｃを通過して垂下するようになっている。
【００２６】
（ラダーコード１１４）
ラダーコード１１４は、図４（ｂ）に示したように、スラット１１８の正面側と背面側に配置される垂直コード１１４ａ、１１４ｂと、両垂直コード１１４ａ、１１４ｂの上下方向に等間隔に配設され、両垂直コード１１４ａ、１１４ｂを連結する中段コード１１３と、を備えて構成される。両垂直コード１１４ａ、１１４ｂの上端部は、前述のようにループを形成した状態で回転ドラム１０８の溝１０８ｂに巻取り及び巻解き可能に巻き掛けられている。ラダーコード１１４は、回転ドラム１０８から垂下されて、中段コード１１３上に複数のスラット１１８を整列状態に支持しており、下端がボトムレール１２０に連結されている。ラダーコード１１４は、巻取パイプ１０６と一体に回転する回転ドラム１０８に連動して傾動し、スラット１１８を回動させるようになっている。
【００２７】
（ラダーコード誘導部１１６）
ラダーコード誘導部１１６は、図１に示したように、回転ドラム１０８の下方に設けられており、前後の垂直コード１１４ａ、１１４ｂがそれぞれ挿通するラダーコード挿通孔１１６ａ、１１６ｂが前後に形成されている（図４（ｂ）参照）。ラダーコード誘導部１１６の中央寄りの部分には、スクリーン誘導部１１２の一対の円筒状部材１１２ａ、１１２ｂを回転自在に支持する支持部１１６ｃが形成されている。
【００２８】
（スラット１１８）
各スラット１１８には、図１に示したように、長手方向に沿って４つの挿通孔１１８ａがそれぞれ形成されており、各挿通孔１１８ａの位置は４分割された巻取パイプ１０６のそれぞれと対応する位置である。各挿通孔１１８ａは、図２に示したように、長孔状の形状をしており、各挿通孔１１８ａの大きさは、巻取パイプ１０６から垂下するスクリーン１１０の幅に対応している。
【００２９】
（プーリ１２４）
プーリ１２４は、一方のサイドプレート１０４と巻取パイプ１０６の間に設けられており、巻取パイプ１０６に回転を伝達するように構成されている。また、プーリ１２４には、無端状の操作チェーン１２２が巻き掛けられており、操作チェーン１２２が操作されることにより回転し、この回転を巻取パイプ１０６に伝達する。
【００３０】
次に、スクリーン１１０の配回しについて説明する。４つのスクリーン１１０は、それぞれが対応する巻取パイプ１０６から同様に配回されるものである。すなわち、巻取パイプ１０６から垂下するスクリーン１１０の他端は、図４（ａ）に示したように、スクリーン誘導部１１２の隙間１１２ｃを通り、各スラット１１８の挿通孔１１８ａを上から下に向かって順次挿通し、ボトムレール１２０に連結される。スクリーン誘導部１１２の隙間１１２ｃは各スラット１１８の挿通孔１１８ａの真上に位置するため、スクリーン１１０は、スクリーン誘導部１１２から直線状に垂下した状態で挿通孔１１８ａを挿通する。これにより、スラット１１８を挿通するスクリーン１１０が撓んだ状態になることがないので、良好な外観となる。
【００３１】
このように配回された各スクリーン１１０を巻取パイプ１０６に巻取り及び巻解くことにより、スクリーン１１０が昇降するため、ボトムレール１２０及びスラット１１８が昇降することになる。したがって、スクリーン１１０は、一般的なブラインドにおいてスラットを昇降させるために用いられる昇降コードの役割を果たすことになるため、昇降コードが不要になる。
【００３２】
次に、本実施形態の動作について、図５〜図７を参照しつつ説明する。
前述の図３及び図４に示したような水平な状態のスラット１１８を閉じる場合、前後に配置される操作チェーン１２２の一方を操作して、プーリ１２４を介して巻取パイプ１０６を一方向に回転させる。これにより、巻取パイプ１０６と一体に回転ドラム１０８が回転して、図６（ｂ）に示したように、ラダーコード１１４の前側の垂直コード１１４ａが回転ドラム１０８に巻取られるとともに、後側の垂直コード１１４ｂが回転ドラム１０８から巻解かれて、スラット１１８が回転していく。そして、回転ドラム１０８が所定角度回転すると、図５及び図６（ａ）に示したように、スラット１１８が全閉状態になる。この状態では、隣り合うスラット１１８の端部同士は重なり合うが、挿通孔１１８ａにはスラット１１８が重ならないため、スクリーン１１０が露出することになる。また、このように全閉状態になるまでスラット１１８が回転しても、図６（ａ）に示したように、スクリーン１１０が垂下する位置と挿通孔１１８ａの位置とが一致するため、スクリーン１１０が撓むことなく垂下した状態が維持される。
【００３３】
次に、スラット１１８を畳み上げる場合、まず、操作チェーン１２２の他方を操作する。これにより、巻取パイプ１０６が他方向に回転し、巻取パイプ１０６と一体に回転ドラム１０８も他方向に回転する。これにより、スラット１１８がほぼ１８０度回転し、回転ドラム１０８とともに巻取ドラム１０６が回転を続ける。このとき、ラダーコード１１４の両垂直コード１１４ａ、１１４ｂの上端部は回転ドラム１０８上をスリップするため、スラット１１８は全閉状態を維持しながら、巻取パイプ１０６にスクリーン１１０が巻き取られて、ボトムレール１２０及びスラット１１８が上昇していく。そして、図７に示したように、最上段のスラット１１８がラダーコード誘導部１１６に当接すると、巻取パイプ１０６へのスクリーン１１０の巻取りが規制され、スラット１１８が最も上昇した状態となる。このように、スクリーン１１０が巻取パイプ１０６に巻き取られることによりスラット１１８が上昇するようにしたので、巻取パイプ１０６とボトムレール１２０との間でスクリーン１１０は緊張状態を維持し、弛むことがない。よって、スラット１１８を畳み上げたときの外観がスクリーン１１０を有していない一般的なブラインドと同様になり、すっきりとした意匠を保つことができる。
【００３４】
以上説明したように、本実施形態によれば、各スクリーン１１０を各スラット１１８に挿通させることにより、例えば、スラット１１８を水平状態にしても、隣り合うスラット１１８の間がスクリーン１１０によってほぼ覆われた状態になる。これにより、隣り合うスラット１１８の間から室内に入る光は、スクリーン１１０を介して入ることになるため、柔らかい光が取り入れられることになる。また、スラット１１８が完全に閉じていない状態の場合、一般的なブランドでは隣り合うスラット１１８の間から室内が見えてしまう可能性があるが、隣り合うスラット１１８の間にスクリーン１１０があることによって、外部からの視線を遮断することができる。このように、本実施形態のブラインド１００は、柔らかい光を取り入れながら、外部からの視線を遮断することができる。さらに、スクリーン１１０はスラット１１８を挿通しているので、一般的なブラインドと同様のすっきりとした意匠を保つことができる。
【００３５】
また、スクリーン１１０をスラット１１８に挿通させるため、スクリーン１１０とスラット１１８を前後方向に重ねて配置する必要が無い。このため、ブラインド１００の取付スペースの大きさが一般的なスラットのみのブラインドの取付スペースの大きさで済む。
【００３６】
（第２の実施形態）
次に、第２の実施形態に係るブラインド１００について、図８〜図１０を参照しながら説明する。本実施形態は、上記第１の実施形態に係るブラインド１００のうち、ラダーコード１１４に該当するラダーテープ２００に特徴を有するものである。ここではラダーテープ２００の構成についてのみ説明することとし、その他の部分については、上記第１の実施形態と同様であるため、重複説明を省略する。
【００３７】
本実施形態のラダーテープ２００は、図８に示したように、３つの回転ドラム１０８のそれぞれに設けられる。そして、ラダーテープ２００は、図９及び図１０に示したように、回転ドラム１０８の溝１０８ｂに巻取り及び巻解き可能に巻き掛けられる回転コード部２１０と、スラット１１８を支持する中段コード２３０を備えた幅広テープ部２２０とを備えて構成されている。回転コード部２１０の両端部は、ラダーコード挿通孔１１６ａ、１１６ｂを挿通して、幅広テープ部２２０の最上段の中段コード２３０よりも上方にそれぞれ連結されている。幅広テープ部２２０は、上端が回転ドラム１０８のフランジ１０８ａに巻き掛けられて連結され、下端がボトムレール１２０に連結される。
【００３８】
幅広テープ部２２０は、図８及び図９に示したように、隣り合うスクリーン１１０の間隔よりも若干幅広であり、隣り合うスクリーン１１０の隙間が幅広テープ部２２０で塞がれる。
【００３９】
このように、本実施形態によれば、スクリーン１１０と交互に配置されるラダーテープ２００に幅広テープ部２２０を備えたことにより、隣り合うスクリーン１１０の隙間を幅広テープ部２２０で塞ぐことができる。これにより、隙間からの光漏れを防ぐことができるとともに、外部からの視線を遮ることができる。
【００４０】
（第３の実施形態）
次に、第３の実施形態に係るブラインド１００について、図１１及び図１２を参照しながら説明する。本実施形態は、上記第１の実施形態に係るブラインド１００にバランス３００を取付けたことを特徴とするものであり、その他の部分については、上記第１の実施形態と同様であるため、重複説明を省略する。
【００４１】
図１１に示したように、バランス３００は、セットフレーム１０２からラダーコード誘導部１１６までを覆うように配設されており、図１２に示したように、バランス３００の上部に設けられたバランスブラケット３１０によってセットフレーム１０２に着脱自在に取付けられている。
【００４２】
このように、本実施形態によれば、ブラインド１００にバランス３００を設けることにより、セットフレーム１０２からラダーコード誘導部１１６までをバランス３００によって隠すことができるため、ブラインド１００の外観が向上する。
【００４３】
（第４の実施形態）
次に、第４の実施形態に係るブラインド１００について、図１３を参照しながら説明する。本実施形態は、上記第１の実施形態に係るブラインド１００のスクリーン１１０とボトムレール１２０とを分離可能とし、スクリーン１１０とスラット１１８とをそれぞれ別々に昇降させるようにしたことを特徴とするものであり、その他の部分については、上記第１の実施形態と同様であるため、重複説明を省略する。
【００４４】
図１３に示したように、スクリーン１１０の下端には連結部材４００が取付けられており、連結部材４００は、ボトムレール１２０に連結されるようになっている。巻取パイプ１０６によってスクリーン１１０を巻取ると、連結部材４００がボトムレール１２０から外れて、スクリーン１１０のみが上昇する（図１３（ｃ）参照）。一方、巻取パイプ１０６によってスクリーン１１０を巻解くと、スクリーン１１０が下降して連結部材４００がボトムレール１２０に連結される。連結部材４００としては磁石などを用いることができる。
【００４５】
また、回転ドラム１０８は、巻取パイプ１０６とラダーコード誘導部１１６の間に設けられており、図１３（ａ）に示したように、回転ドラム１０８にはラダーコード１１４が所定角度だけ巻取り及び巻解き可能に連結されている。さらに、回転ドラム１０８には、図１３（ｂ）に示したように、昇降コード５００の一端が巻取り及び巻解き可能に連結されている。昇降コード５００の他端は、ラダーコード１１４の後ろ側の垂直コード１１４ｂに沿ってこれに対して相対移動可能に設けられ、ボトムレール１２０に連結されている。
【００４６】
本実施形態では、巻取パイプ１０６と回転ドラム１０８の操作は別系統になるため、２つの操作系統が備えられる。例えば、巻取パイプ１０６の操作系統は、第１の実施形態と同様のプーリ１２４と操作チェーン１２２とし、回転ドラム１０８の操作のために、別のプーリと操作チェーンを設けるようにしてもよい。
【００４７】
次に本実施形態の動作について説明する。
スクリーン１１０が最下降位置にあるときには、図１３（ａ）及び（ｂ）に示したように、連結部材４００がボトムレール１２０に連結している。
【００４８】
図示していない操作部を操作して、巻取パイプ１０６を一方向に回転させてスクリーン１１０を巻取ると、連結部材４００とボトムレール１２０の連結が外れて、スクリーン１１０が巻取られていく。スクリーン１１０は、図１３（ｃ）に示したように、連結部材４００がラダーコード誘導部１１６に当接する位置まで上昇する。これにより、ブラインド１００は、スラット１１８のみを備えた一般的なブラインドの形態になるため、一般的なブラインドと同様に使用することができる。
【００４９】
次に、巻取パイプ１０６を他方向に回転させると、スクリーン１１０が巻解かれていく。そして、スクリーン１１０を最下降位置まで下降させると、図１３（ａ）及び（ｂ）に示したように、連結部材４００がボトムレール１２０に連結される。これにより、スクリーン１１０がスラット１１８を挿通したブラインド１００が構成される。
【００５０】
次に、スラット１１８の昇降動作について説明する。
スラット１１８を上昇させる場合、図示していない操作部を操作して、回転ドラム１０８を一方向に回転させる。これにより、ラダーコード１１４は回転ドラム１０８に所定角度だけ巻取り及び巻解かれて傾動した後、その状態を維持する。一方、昇降コード５００は回転ドラム１０８に引き続き巻取られるため、ボトムレール１２０及びスラット１１８は上昇する。
【００５１】
次に、スラット１１８を下降させる場合、図示していない操作部を操作して、回転ドラム１０８を他方向に回転させる。これにより、ラダーコード１１４は上記とは逆方向に傾動した後、その状態を維持する。一方、昇降コード５００は、回転ドラム１０８から引き続き巻解かれるため、ボトムレール１２０及びスラット１１８は下降する。このように、一般的なブラインドと同様にスラットの昇降動作を行うことができる。
【００５２】
以上説明したように、本実施形態によれば、スクリーン１１０とボトムレール１２０とを分離可能とし、スクリーン１１０とスラット１１８とをそれぞれ別々に昇降させるようにしたことにより、１つのブラインド１００に、スクリーン１１０とスラット１１８を併有したブラインドと、スラットのみを有するブランドの両方の作用を持たせることができる。
【００５３】
また、回転ドラム１０８の回転に連動して巻取パイプ１０６の回転を連動させても良い。この場合、ボトムレール１２０及びスラット１１８を上昇させると、一緒にスクリーン１１０を巻取パイプ１０６に巻取らせながら上昇させることができる。さらに、スクリーン１１０の下端をボトムレール１２０に連結することなく、ボトムレールに形成した開口部を挿通させるようにしても良い。この場合、ボトムレール１２０及びスラット１１８を上昇させると、スクリーン１１０のみ下降した状態とすることができる。
【００５４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものである。
【００５５】
上記実施形態では、スクリーン１１０を透過性生地で構成したが、ドレープなどの不透過性生地や、任意の生地を用いることもできる。
【００５６】
また、上記実施形態では、本発明を横型ブラインドに適用した例を説明したが、縦型ブラインドに適用してもよい。すなわち、縦型ブラインドのルーバ（スラットに相当）に挿通孔を設け、生地を挿通させるようにしてもよい。
【符号の説明】
【００５７】
１０６  巻取パイプ（支持部材）
１０８  回転ドラム（支持部材）
１１０  スクリーン（生地）
１１８  スラット
１１８ａ  挿通孔
１１４  ラダーコード（ラダーテープ）
２００  ラダーテープ
２１０  回転コード部（ラダーテープ）
２２０  幅広テープ部（垂直テープ）
【図１】
2015124591.tif 000003
【図２】
2015124591.tif 000004
【図３】
2015124591.tif 000005
【図４】
2015124591.tif 000006
【図５】
2015124591.tif 000007
【図６】
2015124591.tif 000008
【図７】
2015124591.tif 000009
【図８】
2015124591.tif 000010
【図９】
2015124591.tif 000011
【図１０】
2015124591.tif 000012
【図１１】
2015124591.tif 000013
【図１２】
2015124591.tif 000014
【図１３】
2015124591.tif 000015